(57)【要約】【課題】画像形成装置において、備えられた小物入れに収納されたユーザが原稿から取り外したクリップ、ステイプル針の内、再利用可能なクリップを残して、廃棄物である使用済みステイプル針のみを分別し廃棄を容易にすることができる小物入れを提供する。【解決手段】画像形成装置本体１上に備えられた小物入れ３を、機械本体から取り外し自在に配設し、小物入れ３の受け皿３２の中央に取っ手を兼ねた設け、クリップ及びステイプル針を分別収納する。小物入れ３の形状は、底面から滑らかな曲線構造で傾けるだけで、収納物を簡単に取り出すことできる。【特許請求の範囲】
【請求項１】
装置本体の一部に、小物入れを備えた画像形成装置において、前記小物入れは、小物を収納する受け皿と、受け皿を載置する載置部とからなり、前記載置部は装置本体の外装面に対して凹状に形成され、前記受け皿は、載置部に対して取り外し自在に載置され、その中央付近に仕切板を備え、受け皿の収納部を分割することにより、一方の収納部にクリップを収納し、他方の収納部に使用済みステイプル針を仕分けして収納することができる小物入れを備えたことを特徴とする画像形成装置。
【請求項２】
前記受け皿は、前記装置本体の載置部から、垂直方向に着脱可能に配設されていることを特徴とする請求項１に記載の画像形成装置。
【請求項３】
前記受け皿の仕切板は、受け皿の底面から垂直方向に開口面を越えて上方まで延在し、前記受け皿を本体から取り外す際の持ち手を形成することを特徴とする請求項２記載の画像形成装置。
【請求項４】
前記受け皿の形状は、上部開口面が楕円形状であり、底面中心から側面にかけて連続的に滑らかな曲面で結ばれたものであることを特徴とする請求項１乃至３記載の画像形成装置。
【請求項５】
前記受け皿又は、載置部近辺には、前記仕切板により区分けされた収納部に対応した位置にクリップ及び、ステイプル針の表示を設けたことを特徴とする請求項１乃至４に記載の画像形成装置
【発明の詳細な説明】
【０００１】
【発明が属する技術分野】
本発明は電子写真複写機、スキャナー、ファクシミリ等の画像形成装置に関するものである。
【０００２】
【従来技術】
電子写真複写機、スキャナー、ファクシミリ等の画像形成装置の操作部近傍に、複写原稿等を綴じたクリップや、ステイプラの針を外したものを一時的に収納する小物入れが配設されたものが知られている。
【０００３】
（第１の従来例）
画像形成装置本体の操作部近辺に凹状のクリップ置き場を形成し、前記クリップ置き場の底面を傾斜面とし、その一端を袋状部とした構成により、本体が傾斜した際のクリップ落下を防止し、且つ通常状態においては、該クリップ置き場からクリップを容易に取り出せる構造がある。
（第２の従来例）
使用済みステイプラ針の一時置き場として画像形成装置に凹部を設け、その底面に前記ステイプラ針を吸着するマグネットを配し、更に該一時置き場を本体から着脱可能とした構造が開示されている。
【０００４】
【特許文献１】
特開平０６−１９４８８４
【特許文献２】
特開２００２−１６９３４９
【０００５】
【発明が解決しようとする課題】
上記特開公報２００１−１０６２２２，特開２００２−１６９３４９に開示されているクリップ置き場または使用済みステイプル針置き場は、クリップや使用済みステイプル針の共通置場として使用されるのが一般的である。その為、前記一時置き場は通常使用においては、クリップ等の再利用可能物やステイプル針等の廃棄物を同じ場所に混在して置かれることが十分予想される。従って前記一時置き場における収容状態では、再利用可能なものと廃棄物が混在している為、廃棄の際、廃棄物のみの取り出しに手間がかかり、更には、選別作業において作業者が針で指先を傷けるといった問題がある。
【０００６】
本発明は上述した事実に鑑みてなされたものであり，その主たる技術課題は画像形成装置に配設されたクリップ及びステイプル針置き場に収納されたステイプル針を、クリップと分別して、安全で速やかに取り出し、廃棄することができる小物入れを備えた画像形成装置を提供することである。
【０００７】
【問題を解決するための手段】
請求項１記載の発明は、装置本体の一部に、クリップ等の小物入れを備えた画像形成装置において、前記小物入れはクリップ等小物を収納する受け皿と、受け皿を載置する載置部とからなり、前記載置部は本体外装面に凹状に配設され、前記受け皿は、前記載置部に対して取り外し自在に載置され、その中央付近に仕切板を設け  受け皿の収納部を分割し、一方の収納部にクリップを収納し、他方の収納部に使用済みステイプル針を仕分けして収納する小物入れを提供することにより、前記クリップ及びステイプラ針等を確実に仕分けして収納し、ステイプル針を分別して廃棄することを容易にするクリップ及びステイプル針用受け皿を設けた小物入れを備えることを特徴とする。
【０００８】
請求項２記載の発明は、請求項１に記載の小物入れは、その受け皿が載置部から上方に取り外し可能な簡単な構造であり、受け皿に溜まったステイプル針の廃棄を簡単に行うことができることを特徴とする。
【０００９】
請求項３記載の発明は、受け皿の仕切板は、受け皿の底面から垂直方向に開口面を越えて上方まで延在し、前記受け皿を本体から取り外す際の持ち手を形成することにより、ステイプル針の廃棄時等で、受け皿を取り出して持ち運ぶ作業性を高めることを特徴とする。
【００１０】
請求項４記載の発明は、前記受け皿の形状は、上部開口面が楕円形状であり、底面中心から側面にかけて連続的に滑らかな曲面で結ばれた形状を持つことにより、その中に収納されたクリップの取り出しや、ステイプル針の廃棄の際、受け皿を傾けることにより簡単に行うことができることを特徴とする。
【００１１】
請求項５記載の発明は、載置部近辺には、前記仕切板により区分けされた収納部に対応してクリップ及び、ステイプル針の表示を設けることにより、クリップ収納部とステイプル針収納部を明確化し、作業者の視認性を高めることにより分別収納をより確実にすることを特徴とする。
【発明の実施形態】
以下，本発明に従って構成された小物入れを備えた画像形成装置の好適実施形態を図示している添付図面を参照して，更に詳細に説明する。
【００１２】
以下本発明の実施の形態を図面を参照して説明する。図１は本発明に従って構成された画像形成装置が図示されている。画像形成装置本体１は、原稿載置部の原稿マット２を開き、原稿載置台の所定の位置に読み取り原稿をセットし、前記原稿マット２を閉じて読み取り準備を行う。原稿載置台の下方には原稿を読み取る為のスキャナーユニットが配置されている。
操作パネル３は、プリントジョブメニューを表示した液晶画面、及びスタートキー、テンキー等の入力キーを備え、プリント枚数、倍率、用紙サイズ、画質モード等、所望のプリントジョブの入力及び設定作業を行う。画像形成部５は、感光性ドラムと、感光性ドラムを一様に帯電させる帯電部と、光学読み取り部で読み取られた画像信号に従って、レーザー光を照射し、感光ドラム上に静電潜像を生成させるＬＳＵ（レーザーユニット）と、前記静電潜像にトナーを供給し顕在化する現像装置及び現像装置にトナーを供給するトナーコンテナと、感光ドラム上に残留する不要なトナーを回収するクリーニング装置と、感光ドラム上のトナー画像を用紙に転写する転写装置と、転写された用紙上のトナー画像を定着させる定着装置等からなる。用紙積載トレイ６は、画像形成装置本体１の前面に引き出し可能であり、所定サイズの用紙をセットし、内蔵されたピックアップコロにより用紙を繰り出し、分離機構により用紙束を一枚に捌き給紙コロ、搬送コロを経由して前記画像形成部の転写部へと用紙を搬送する。以上のように、用紙積載トレイ６から給紙された用紙は、画像形成部５においてトナー画像を転写、定着され、排紙トレイ７に積載されるといった一連の電子写真プロセスを経てプリントが完了する。
【００１３】
図２は、画像形成装置１における操作パネル４及びその近傍に配設された本発明に係る小物入れ３を構成する載置部３１と受け皿部３２の一実施例を示すものである。載置部３１は本体外装カバーに受け皿の形状に合わせて形成された凹部からなり、その上に受け皿３２を載せる構成となっている。作業者は、クリップ又はステイプラ等の綴じ手段により綴じられた原稿束の前記綴じ手段を外し原稿載置台に載せてコピー作業を実行する。この際、取り外したクリップ又はステイプル針は、受け皿３２へ収納する。
【００１４】
図３は受け皿３２の拡大図であり、受け皿３２の略中央部に仕切板３２１が設けられている。これにより受け皿３２の収納部を２分割し、一方の収納部をクリップ収納部３２１とし、他方の収納部をステイプル針収納部３２３として、クリップ及び使用済みのステイプル針を分別収納する。
次に、使用済みのステイプル針が一杯になり廃棄する際には、仕切板３２１の上端部を持ち手として指で摘み、受け皿３２を載置部３１から取り出し、ゴミ箱まで持ち運ぶことができる。
更に受け皿３２の形状は、底面中心から側面にかけて連続的に滑らかな曲面で結ばれたものであり、受け皿３２を傾けることによりスムーズに廃棄物をゴミ箱へ廃棄することができる。
【００１５】
図４によれば、本体外装カバー上には、載置部３３に受け皿３２を設置した状態で、クリップ収納部３２２及びステイプル針収納部３２３に対応した位置に、それぞれクリップマーク、ステイプル針マークが刻印されている。この表示を視認することにより作業者の分別収納をより確実に行うことができる。この表示は刻印に限らずラベル等を貼付ることでも対応可能である。
【００１６】
【発明の効果】
以上説明したように本発明によれば、簡単は構成で、原稿を綴じたクリップまたはステイプル針を外しコピーする作業において、それらの取り外したクリップまたはステイプル針を画像形成装置上の収納部に収納する際、再利用可能であるクリップと廃棄物であるステイプル針を簡単確実に分別収納することができ、更に廃棄物であるステイプル針の廃棄に於いては、安全にスムーズに処理することが可能となる。
【００１７】
【図面の簡単な説明】
【図１】本発明にかかる画像形成装置本体の全体斜視図
【図２】本発明にかかる小物入れの斜視図
【図３】本発明にかかる受け皿の拡大図
【図４】本発明にかかる小物入れの表示形態
【符号の説明】
１：画像形成装置本体
２：原稿マット（原稿載置部）
３：小物入れ
３１：載置部
３２：受け皿
３３：表示部
３２１：仕切板
３２２：クリップ収納部
３２３：ステイプル針収納部
４：操作パネル
５：画像形成部
６：用紙収納部（用紙積載トレイ）
７：排紙部（排紙トレイ）
【図１】
2005043633.tif 000002
【図２】
2005043633.tif 000003
【図３】
2005043633.tif 000004
【図４】
2005043633.tif 000005